(57)【要約】  乳房の揺れ抑制効果を発揮する一方、乳房を圧迫する範囲を限定的なものとすることにより心肺等の内臓諸器官、乳房等への圧迫を軽減し、同時に皮膚との擦れを無くすることを課題とする。  胸部をカバーする前身頃と背中をカバーする後身頃とからなるブラジャー本体１１と、前記前身頃と後身頃の上端縁間に設けられた左右の肩紐１２とからなり、前記ブラジャー本体１１の下端縁にアンダーバストライン１３を介してアンダーベルト１４が設けられ、前記前身頃に左右一対のカップ部１７が設定されたブラジャーにおいて、前記肩紐１２のブラジャー本体１１に対する取付け角度θを、その中間線１８が対角位置にあるカップ部１７中央部を通過して前記アンダーバストライン１３上のトップ下点１９と脇下点２０を範囲に達する角度に定めた構成とした。
2012133397.tif 000002
【特許請求の範囲】
【請求項１】
胸部をカバーする前身頃と背中をカバーする後身頃とからなるブラジャー本体と、前記前身頃と後身頃の上端縁間に設けられた左右の肩紐とからなり、前記ブラジャー本体の下端縁にアンダーバストラインを介してアンダーベルトが設けられ、前記前身頃に左右一対のカップ部が設定されたブラジャーにおいて、前記肩紐のブラジャー本体に対する取付け角度を、その中間線が対角位置にあるカップ部中央部を通過して前記アンダーバストライン上のトップ下点と脇下点を含む範囲に達する角度に定めたことを特徴とするブラジャー。
【請求項２】
用途がスポーツ用であることを特徴とする請求項１に記載のブラジャー。
【請求項３】
前記カップ部の外周円が、カップ部中心のトップ部とアンダーバストライン上のトップ下点との距離を半径とした円によって規定され、前記カップ部中央部の範囲がカップ部半径の０．６倍の半径をもった同心の基準円によって規定されたことを特徴とする請求項１又は２に記載のブラジャー。
【請求項４】
前記中間線の前記アンダーバストラインに対する傾斜角が、次の（１）及び（２）に示した最大傾斜角度θ１と最小傾斜角度θ２の範囲内にあることを特徴とする請求項１から３のいずれかに記載のブラジャー。
（１）最大傾斜角度θ１は、対角位置にあるカップ部のトップ部内側を通過する中間線が、前記基準円に接するか又はその範囲内を通過して前記アンダーバストライン上のトップ下点と脇下点を含む範囲に達する角度により規定される。
（２）最小傾斜角度θ２は、対角位置にあるカップ部のトップ部外側又はトップ部を通過する中間線が、前記基準円に接するか又はその範囲を通過して前記アンダーバストライン上のトップ下点と脇下点を含む範囲に達する角度により規定される。
【請求項５】
前記中間線の前記アンダーバストラインに対する傾斜角の範囲が、次の（１）及び（２）に示した最大傾斜角度θ１と最小傾斜角度θ２の範囲内にあることを特徴とする請求項１から３のいずれかに記載のブラジャー。
（１）最大傾斜角度θ１は、対角位置にあるカップ部のトップ部内側を通過する中間線が、前記基準円に接するか又はその範囲内を通過して前記アンダーバストライン上のトップ下点に達する角度により規定される。
（２）最小傾斜角度θ２は、対角位置にあるカップ部のトップ部内側を通過する中間線が、前記基準円に接するか又はその範囲内を通過して前記アンダーバストライン上の脇下点に達する角度により規定される。
【請求項６】
前記肩紐の最小幅部分の内側点を通り前記最大傾斜角度θ１を規定する中間線と平行な内側基準線が、当該中間線に沿って前記基準円の範囲内を通過し、前記肩紐の最小幅部分の外側点を通り前記最小傾斜角度θ２を規定する中間線と平行な外側基準線が、当該中間線に沿って前記基準円の範囲内を通過することを特徴とする請求項４又は５に記載のブラジャー。
【請求項７】
前記肩紐の外側縁と前記前身頃の上端縁との間に形成されるアームホールの湾曲部トップ点が、脇下ライン上において、脇下から正中ラインまでの距離の３／５の点の内側に設定されたことを特徴とする請求項１から６のいずれかに記載のブラジャー。
【発明の詳細な説明】
【技術分野】
【０００１】
この発明は、ブラジャーに関し、特に運動時の乳房の揺れを抑制するとともに、人体部分の皮膚との擦れを防止したブラジャーに関し、スポーツ用ブラジャー等として好適なものである。
【背景技術】
【０００２】
スポーツ用ブラジャーにおける重要な機能として、運動時における乳房の揺れを抑制することが求められており、従来から揺れ抑制機能をもった各種のスポーツ用ブラジャーが知られている（特許文献１〜４）。【０００３】
これら従来のスポーツ用ブラジャーは、カップ部やアンダーベルトの着圧（着用時の圧迫力）を増大して、乳房を締め付けることにより乳房の揺れを抑制するようにしている点で共通している。また、肩紐はアンダーバストラインに対してほぼ直角の角度をもってブラジャー本体に取付けられている点でも共通している。【０００４】
図１１は、従来から知られているスポーツ用ブラジャーの一例を示している。このブラジャーは、胸部をカバーする前身頃と背中をカバーする後身頃とからなるブラジャー本体１１と、前身頃と後身頃の上端縁の間に設けられた左右の肩紐１２とからなる。ブラジャー本体１１の下端縁にアンダーバストライン１３を介してアンダーベルト１４が設けられる。【０００５】
ブラジャー本体１１の前身頃の左右にトップ部１６が位置決めされ、そのトップ部１６を中心として乳房を覆う一定の範囲をカップ部１７と称する。ブラジャー本体１１の裏面に、トップ部１６の位置を基準にパットが適宜装着される。肩紐１２のブラジャー本体１１に対する取付け角度θは９０°又はそれに近い角度である。【０００６】
前記構成の従来のスポーツ用ブラジャーは、全体を身体に密着させ、素材のもつ柔軟性によってカップ部１７及びその周辺の着圧を大きくし、乳房を圧迫することによりその揺れを抑制するものである。
ところで、特許文献４には、フロントオープンタイプのブラジャーであるが、肩紐の一部がカップ部の内側に接し、その下端がアンダーベルト脇下部に達しているものが開示されている。【０００７】
なお、以下の説明の便宜上、前記以外のブラジャー各部の名称を以下のように定義する。
トップ下点１９：トップ部１６から降ろした垂直線のアンダーバストライン１３上の点。
脇下点２０：脇下線２１のアンダーバストライン１３上の点。
アンダーベルト脇下部２２：トップ下点１９と脇下点２０の間のアンダーベルト１４の部分。
アンダーベルト胸下部２３：左右のトップ下点１９の間のアンダーベルト１４の前部中央部分。
【先行技術文献】
【特許文献】
【０００８】
【特許文献１】特開２００３−２２１７０５号公報
【特許文献２】特開２００６−１０４６１３号公報
【特許文献３】特開２００９−１３３０２７号公報
【特許文献４】ＵＳ５３７８１９２Ａ  第１欄第６−８行、第３欄第１８行−第４欄第３８行、図３、６
【発明の開示】
【発明が解決しようとする課題】
【０００９】
運動時の乳房の揺れは、乳房内部のクーパー靭帯の伸びや損傷を誘発し、乳房の垂れの原因となる。従来のスポーツ用ブラジャーのように、乳房の揺れを抑制するためにカップ部又はその周辺の着圧を大きくすることは心肺や内臓を圧迫することになるので適切ではない。また、カップ部やアンダーベルトの部分の着圧が過大になると内臓の諸器官の位置の変化、形態の変化の原因となるなどの問題がある。【００１０】
さらに、従来の構造は、締め付け範囲がカップ部１７及びその周辺に渡る広い範囲にわたること、また肩紐１２のブラジャー本体１１に対する取付け角度θがほぼ９０°であることから、運動時の皮膚伸縮範囲３０に含まれる部分が多い。このため皮膚との擦れが生じ易く、また運動に伴ってブラジャー本体１１が上方にずれ上がり易いという問題もある。
また、特許文献４に記載に記載されたブラジャーも肩紐は、カップ部の内側のわずかな部分を通過しているだけであるから、乳房を斜めに抑える効果が少なく、乳房の揺れを抑制する効果がほとんどない。【００１１】
なお、皮膚伸縮範囲３０は、図示の点Ｘ１、Ｘ２、Ｘ３に囲まれた三角形の範囲をいう。Ｘ１は肩峰、Ｘ２は脇、Ｘ３は脇Ｘ２と脇下ラインＸと正中ラインＹの交点Ｘ４との距離ＬのＸ２から３／５Ｌの点である。【００１２】
そこで、この発明は、乳房の揺れ抑制効果を発揮する一方、乳房を圧迫する範囲を限定的なものとすることにより心肺等の内臓諸器官、乳房等への圧迫を軽減し、同時に運動時の皮膚伸縮範囲との重なり範囲を避けることにより皮膚との擦れを無くすることを課題とする。
【課題を解決するための手段】
【００１３】
前記の課題を解決するために、この発明は、胸部をカバーする前身頃と背中をカバーする後身頃とからなるブラジャー本体と、前記前身頃と後身頃の上端縁間に設けられた左右の肩紐とからなり、前記ブラジャー本体の下端縁にアンダーバストラインを介してアンダーベルトが設けられ、前記前身頃に左右一対のカップ部が設定されたブラジャーにおいて、前記肩紐のブラジャー本体に対する取付け角度を、その中間線が対角位置にあるカップ部中央部を通過して前記アンダーバストライン上のトップ下点と脇下点を含む範囲に達する角度に定めた構成としたものである。
この発明においては、前記カップ部の外周円が、カップ部中心のトップ部とアンダーバストライン上のトップ下点との距離を半径とした円によって規定され、前記カップ部中央部の範囲がカップ部半径の０．６倍の半径をもった同心の基準円によって規定される。
具体的には、前記中間線の前記アンダーバストラインに対する傾斜角は、次の（１）及び（２）に示した最大傾斜角度θ１と最小傾斜角度θ２の範囲内にあるように規定する。
（１）最大傾斜角度θ１は、対角位置にあるカップ部のトップ部内側を通過する中間線が、前記基準円に接するか又はその範囲内を通過して前記アンダーバストライン上のトップ下点と脇下点を含む範囲に達する角度により規定される。
（２）最小傾斜角度θ２は、対角位置にあるカップ部のトップ部外側又はトップ部を通過する中間線が、前記基準円に接するか又はその範囲を通過して前記アンダーバストライン上のトップ下点と脇下点を含む範囲に達する角度により規定される。
また、前記中間線の前記アンダーバストラインに対する傾斜角の範囲が、次の（１）及び（２）に示した最大傾斜角度θ１と最小傾斜角度θ２の範囲内にあるように規定してもよい。
（１）最大傾斜角度θ１は、対角位置にあるカップ部のトップ部内側を通過する中間線が、前記基準円に接するか又はその範囲内を通過して前記アンダーバストライン上のトップ下点に達する角度により規定される。
（２）最小傾斜角度θ２は、対角位置にあるカップ部のトップ部内側を通過する中間線が、前記基準円に接するか又はその範囲内を通過して前記アンダーバストライン上の脇下点に達する角度により規定される。
また、前記肩紐の最小幅部分の内側点を通り、前記最大傾斜角度θ１を規定する中間線と平行な内側基準線が、当該中間線に沿って前記基準円の範囲内を通過し、前記肩紐の最小幅部分の外側点を通り、前記最小傾斜角度θ２を規定する中間線と平行な外側基準線が、当該中間線に沿って前記基準円の範囲内を通過するようにする。
また、前記肩紐の外側縁と前記前身頃の上端縁との間に形成されるアームホールの湾曲部トップ点が、脇下ライン上において、脇下から正中ラインまでの距離の３／５の点の内側に設定される。【００１４】
肩紐のブラジャー本体に対する取付け角度を前記のように設定することにより、肩紐と対角位置に存在するカップ部（当該肩紐に対し対角位置のカップ部）を介しアンダーベルト脇下部に対し、斜めに横断する方向の張力が部分的に作用する結果、乳房の揺れが抑制される。【００１５】
肩紐の前記の取付け角度は、従来に比べその下端部が身体の正中に接近する方向に大きく傾斜する角度となる。このため、その肩紐に沿って大きく湾曲したアームホールを形成することができ、皮膚伸縮範囲を避けることができる。
【発明の効果】
【００１６】
以上のように、この発明のブラジャーは、肩紐の張力によって対角位置にあるアンダーベルト脇部の着圧を局部的に増大させることによって乳房の揺れを抑制することができる。アンダーベルト脇下部の着圧は増大するが、胸下部の着圧を増大させる必要はなく、乳房に対する着圧も部分的なものとなるため、心肺や内臓諸器官への圧迫が軽減される。【００１７】
また、皮膚伸縮範囲を避けた位置にアームホールを形成することができるので、皮膚との擦れが防止されるほか、腕の振り等の運動の自由度が増し、また運動に伴うブラジャー本体のずれ上がりも防止される。
したがって、この発明のブラジャーは、スポーツ用の用途に好適である。
【図面の簡単な説明】
【００１８】
【図１Ａ】実験１の試料ａの着用状態の正面図である。
【図１Ｂ】実験１の試料ｂの着用状態の正面図である。
【図１Ｃ】実験１の試料ｃの着用状態の正面図である。
【図２Ａ】右乳房の揺れ軌跡である。
【図２Ｂ】左乳房の揺れ軌跡である。
【図３Ａ】脇下部着圧と上下揺れの関係を示すグラフである。
【図３Ｂ】脇下部着圧と左右揺れの関係を示すグラフである。
【図４Ａ】胸下部着圧と上下揺れの関係を示すグラフである。
【図４Ｂ】胸下部着圧と左右揺れの関係を示すグラフである。
【図５Ａ】実験２の試料Ａの着用状態の正面図である。
【図５Ｂ】実験２の試料Ｂの着用状態の正面図である。
【図５Ｃ】実験２の試料Ｃの着用状態の正面図である。
【図５Ｄ】実験２の試料Ｄの着用状態の正面図である。
【図５Ｅ】実験２の試料Ｅの着用状態の正面図である。
【図６】脇下部着圧の測定結果を示すグラフである。
【図７Ａ】上下揺れの測定結果を示すグラフである。
【図７Ｂ】左右揺れの測定結果を示すグラフである。
【図８】胸下部着圧の測定結果を示すグラフである。
【図９】実施形態１のブラジャーの正面図である。
【図１０Ａ】実施形態１のブラジャーの着用状態の正面図である。
【図１０Ｂ】図１０Ａの背面図である。
【図１１】従来例の着用状態の正面図である。
【発明を実施するための形態】
【００１９】
まず、この発明の着想から完成に至るまでの実験を［実験１］［実験２］として示し、具体的な実施の形態を「実施形態１」として示す。
［実験１］
【００２０】
１．実験の目的
乳房の揺れと脇下部着圧及び胸下部着圧の関係を知ることを目的とする。
【００２１】
２．試料
図１Ａ〜図１Ｃに示した試料ａ〜ｃの３種類のスポーツ用ブラジャーを試料とする。これらの試料は、従来型のスポーツ用ブラジャー（図１参照）において、試料ａはアンダーベルト２１の高さが最も低く、試料ｂは中程度の高さ及び試料ｃは最も高い。いずれも肩紐１２の取付け角度θは約９０°である。ネックライン２５は、試料ａ、ｂは丸形、試料ｃは角形である。
【００２２】
３．実験内容
試料ａ〜ｃを順次着用した同一女性について、トップ部１６にマーカを付けてトレッドミル上を９ｋｍ／ｈでランニングを行わせ、そのときのマーカの動向を頸窩（左右の鎖骨の胸骨端上縁を結ぶ直線と正中ラインとの交点）を基準点とし、三次元動作分析システム（VICON）によって測定した。
【００２３】
４．実験結果
（１）揺れ軌跡
試料ａについての揺れ軌跡を図２Ａ（右乳房）及び図２Ｂ（左乳房）に示す。他の試料ｂ、ｃについても振幅の大きさに差はあるが、全体の形状としてはこれらの図に示した軌跡（大略双葉形）を示した。この軌跡は、中央部分に揺動の節Ｊがあり、その節Ｊの左右両側に振幅部Ｗ１、Ｗ２が双葉状に斜め上方に延びた形状である。
【００２４】
（２）脇下部着圧と揺れの関係
図３Ａは、試料ａ〜ｃについての脇下部着圧と上下揺れとの関係、図３Ｂは脇下部着圧と左右揺れとの関係を示す。
【００２５】
（３）胸下部着圧と揺れの関係
図４Ａは、試料ａ〜ｃについての胸下部着圧と上下揺れの関係、図４Ｂは胸下部着圧と左右揺れの関係を示す。
【００２６】
５．考察
（１）前記の実験結果から、試料ａが脇下部着圧及び胸下部着圧について両方とも最も大きく、振幅が小さい（即ち、揺れの抑制効果が高い。）ことが分かった。
【００２７】
このうち、胸下部着圧は、圧迫する位置から見て、脇下部着圧に比べ心肺や内臓諸器官を圧迫する要因となることは明らかである。
【００２８】
これに対して、脇下部着圧については、内臓圧迫の危険性は低く、肩紐１２の取付け角度を傾斜させることで、肩紐１２の張力を脇下部に作用させ、脇下部着圧を局部的に高めることができる。
【００２９】
このように考えると、肩紐１２の取付け角度θを適宜設定することにより、肩紐１２の張力を対角位置にあるカップ部１７を斜めに通り脇下部に作用させることにより脇下部着圧を高め、心肺等への圧迫を避けながら、乳房の揺れを効果的に抑制できるという着想が得られる。
【００３０】
なお、前記着想との対比で、肩紐１２の取付け角度θを適宜設定することにより肩紐１２の張力を胸下部に集め、胸下部着圧を局部的に高める対策が考えられる。しかし、その場合の取付け角度θは比較的大きいので、肩紐１２の張力を対角位置にあるアンダーベルト脇部の着圧増大へ有効に作用させることはできない。
【００３１】
（２）どの試料ａ〜ｃも肩紐１２の取付け角度がほぼ９０°であるので、アームホールライン２４を大きく取ることができない。そのため、運動時の皮膚伸縮範囲３０（図１１参照）と重なる範囲が広く、広い範囲で皮膚に擦れが生じる問題がある。また、皮膚の伸縮に伴ってブラジャー本体１１がずれ上がる傾向が見られた。
［実験２］
【００３２】
１．実験の目的
実験２は、前記の実験１によって得られた着想を具体化し、その技術的効果を確認するために、肩紐１２の取付け角度θと脇下部着圧の大きさ及び揺れ抑制の関係を調べることを目的とする。
【００３３】
２．試料
図５Ａ〜図５Ｅに試料Ａ〜Ｅを示す。各試料の基本的な構成は、従来例（図１１参照）と同様であるが、肩紐１２の取付け角度θにおいて以下のような相違がある。その角度θを肩紐１２の中間線１８の態様で説明する。
【００３４】
試料Ａ：中間線１８が対角位置のカップ部１７の中央部分を斜めに横断し、脇下点２０に達する。
試料Ｂ：中間線１８がアンダーバストライン１３上の胸下部中間に達する。
試料Ｃ：中間線１８が脇下線２１の中間部分に達する。
試料Ｄ：特許文献４に開示されたものと同様に、肩紐の一部がカップ部の内側に接し、その下端がアンダーベルト脇下部に達するものであり、中間線１８が対角位置のトップ下点１９に寄った胸下部に達している。
試料Ｅ：中間線１８が直下の脇下部に達する。
【００３５】
３．実験内容
脇下部着圧の測定は、着圧測定が可能な同一のマネキンに試料Ａ〜Ｅを順次着用させて行った。また、同一の女性に、試料Ａ、Ｅを着用させ、実験１と同じ条件によるトレッドミル上のランニングによるマーカの動向の測定に基づき、上下振幅、左右振幅を求めた。
【００３６】
４．実験結果
試料Ａ〜Ｅについての脇下部着圧を図６に示す。上下方向及び左右方向の振幅を図７Ａ、図７Ｂに示す。胸下部着圧を図８に示す。
【００３７】
５．考察
中間線１８の態様、即ち、肩紐１２の取付け角度θと脇下部着圧との関係については、その角度θが相対的に大きいもの（試料Ｂ、Ｄ、Ｅ）及び小さいもの（試料Ｃ）は、脇下部着圧が相対的に低く（図６参照）、試料ＡとＥの比較では試料Ａが抑制効果に優れた。いずれの試料も肩紐１２の中間線１８がアンダーベルト脇下部２２から離れた位置に達し、同脇下部２２に達していないことが、脇下部着圧が相対的に低い理由であると考えられる。
【００３８】
これに対し、試料Ａは、中間線１８が対角位置のカップ部１７の中央を斜めに横断しアンダーベルト脇下部２２に達していることが試料Ｂ、Ｃ、Ｄと顕著に異なる。
【００３９】
試料Ａの場合は、脇下部着圧をある程度大きくしても位置的に心肺等に及ぼす影響が少ない。また、乳房を圧迫する範囲は、中間線１８に沿った局部的な範囲に限定され、乳房全体を圧迫することにはならない。また、アームホールライン２４を肩紐１２の傾斜に従って大きく内側に湾曲させることができ、前記の皮膚伸縮範囲３０を避けることが容易にできる。
【００４０】
念のために、各試料Ａ、Ｅについて胸下着圧の測定結果を図８に示す。いずれも同程度で低い数値を示した。
【００４１】
なお、以上の実験２においては、肩紐１２の肩上の位置を一定位置に固定した状態で示しているが、その位置は肩幅の範囲内で適宜設定される。
[実施形態１]
【００４２】
前記の実験１、実験２に基づいて好ましい構造をもったスポーツ用ブラジャーを製作する場合、肩紐１２の取付け角度θの好ましい大きさの範囲はどの程度であればよいかを検討する。
【００４３】
実験１、実験２においては、肩紐１２の張力を１本の中間線１８によって代表しているが、実際上肩紐１２は一定の幅を有しており、その幅に見合った広がりをもった張力の帯が作用し、カップ部１７を経てアンダーベルト脇下部２２の着圧を局部的に高めている。
【００４４】
そこで、図９に示したように、肩紐１２の最小幅部分（図示の場合は最上端）の中間点ｃ１と、その部分から長さ方向に適宜距離だけ離れた位置における幅の中間点ｃ２とを結んだ線を中間線１８と定める。その中間線１８を間に挟み、前記の最小幅部分の幅をもった帯状に分布した張力が、アンダーベルト脇下部２２の着圧を局部的に増大していると考えられる。
【００４５】
前記の実験２の結果を踏まえると、中間線１８がカップ部１７の中心部、即ち、トップ部１６から離れ過ぎることは揺れ抑制効果を損なう。そこで、中心部から一定以上に離れた部分を通る中間線１８は対象から除外するために、カップ部１７の半径ａの０．６倍に設定した同心円を基準円２６として設定する。０．６倍という数値は、図２Ａ、図２Ｂの揺動軌跡の範囲内に肩紐１２の張力が及び得ること等を考慮して経験的に定めた数値である。
【００４６】
これらの要件を考慮することにより肩紐１２の取付け角度の最大角度θ１と最小角度θ２を以下のようにして設定することができる。
なお、説明の便宜上、以下の用語を定義する。
・内側基準線２７：肩紐１２の最小幅部分の内側点ｄ１を通り、前記中間線１８と平行な線
・外側基準線２８：肩紐１２の最小幅部分の外側点ｅ１を通り、前記中間線１８と平行な線
なお、図中Ｘは脇下ライン、Ｙは正中ラインを示す。
【００４７】
（１）肩紐１２の最大取付け角度θ１
最大取付け角度θ１は、内側基準線２７が当該肩紐１２の対角位置にあるカップ部１７内の基準円２６に接し、かつ前記内側基準線２７とアンダーバストライン１３との交点ｄ２が、アンダーバストライン１３上のトップ下点１９と脇下点２０を含む対角位置にあるアンダーベルト脇下部２２の範囲内にある場合の中間線１８の角度により規定される。
【００４８】
（２）肩紐１２の最小取付け角度θ２
最小取付け角度θ２は、外側基準線２８が基準円２６内を通過し、かつ外側基準線２８とアンダーバストライン１３上の交点ｅ２が脇下点２０にある場合の中間線１８の角度により規定される。
【００４９】
前記の角度θ１とθ２の範囲を外れると、肩紐１２の張力が基準円２６から外れるか又はアンダーベルト脇下部２２から外れ、乳房の揺れの抑制効果が減少する。また、アームホールライン２４及びネックライン２５を大きくとることができなくなる。
【００５０】
（３）アームホールライン２４の湾曲部トップ点２９の位置
アームホールライン２４の湾曲部トップ点２９の位置は、脇下ラインＸにおいて、前記の皮膚伸縮範囲３０の点Ｘ３より内側まで達するように形成することが望ましい。
【００５１】
前記図９に基づいて説明した基本的な構成に基づいて作成した具体的なスポーツ用ブラジャーを図１０Ａ、図１０Ｂに示す。このブラジャーは、胸部をカバーする前身頃１１ａと背中をカバーする後身頃１１ｂとからなるブラジャー本体１１と、前記前身頃１１ａと後身頃１１ｂの上端縁間に設けられた左右の肩紐１２とからなる。前記ブラジャー本体１１の下端縁にアンダーバストライン１３を介してアンダーベルト１４が設けられる。ブラジャー素材形態は、織物、編物、不織布等のいかなる形態であってもよい。また、繊維の形態としては、フィラメント、スパン等のいかなる形態でもよく、綿、麻、ウール等の天然繊維やポリアミド系繊維、アクリル系繊維、ポリオレフィン系繊維等の合成繊維、さらには、スパンデックス等を混紡、混繊、交織、交編したもの等を、適宜用いることができる。
【００５２】
前身頃１１ａに左右一対のトップ部１６が定められ、そのトップ部１６に合わせて裏面にパットが装着される。なお、パッドが装着されないタイプもあるので、パットは適宜利用すればよい。
【００５３】
この場合の肩紐１２のブラジャー本体１１に対する取付け角度θは、肩紐１２の中間線１８の傾斜角度によって決定される。図示の場合の中間線１８は、アンダーバストライン１３上の脇下点２０に達すような傾斜角度をもっている。
【００５４】
またアームホールライン２４の湾曲部トップ点２９は、皮膚伸縮範囲３０の範囲の外に設けられ、肩紐１２及びブラジャー本体１１のいずれの部分も皮膚伸縮範囲３０の外にある。
【符号の説明】
【００５５】
ｄ１  内側点
ｄ２  交点
ｅ１  外側点
ｅ２  交点
θ  取付け角度
Ｘ  脇下ライン
Ｙ  正中ライン
１１  ブラジャー本体
１１ａ  前身頃
１１ｂ  後身頃
１２  肩紐
１３  アンダーバストライン
１４  アンダーベルト
１６  トップ部
１７  カップ部
１８  中間線
１９  トップ下点
２０  脇下点
２１  脇下線
２２  アンダーベルト脇下部
２３  アンダーベルト胸下部
２４  アームホールライン
２５  ネックライン
２６  基準円
２７  内側基準線
２８  外側基準線
２９  湾曲部トップ点
３０  皮膚伸縮範囲
【図１Ａ】
2012133397.tif 000003
【図１Ｂ】
2012133397.tif 000004
【図１Ｃ】
2012133397.tif 000005
【図２Ａ】
2012133397.tif 000006
【図２Ｂ】
2012133397.tif 000007
【図３Ａ】
2012133397.tif 000008
【図３Ｂ】
2012133397.tif 000009
【図４Ａ】
2012133397.tif 000010
【図４Ｂ】
2012133397.tif 000011
【図５Ａ】
2012133397.tif 000012
【図５Ｂ】
2012133397.tif 000013
【図５Ｃ】
2012133397.tif 000014
【図５Ｄ】
2012133397.tif 000015
【図５Ｅ】
2012133397.tif 000016
【図６】
2012133397.tif 000017
【図７Ａ】
2012133397.tif 000018
【図７Ｂ】
2012133397.tif 000019
【図８】
2012133397.tif 000020
【図９】
2012133397.tif 000021
【図１０Ａ】
2012133397.tif 000022
【図１０Ｂ】
2012133397.tif 000023
【図１１】
2012133397.tif 000024
【国際調査報告】
2012133397.tif 000025
2012133397.tif 000026
2012133397.tif 000027
2012133397.tif 000028